(57)【要約】【課題】  着脱されるフィルムキャリアユニットを備えた写真画像読取装置において、フィルムキャリアユニット中の搬送手段の駆動源を写真画像読取装置内に設けた場合に、搬送手段への動力伝達において運動伝達の誤差が生じて、画質に影響するという問題がある。【解決手段】  写真画像読取装置の出力軸に対して、フィルムキャリアユニットの入力軸を、歯車のピッチ円等の出力基準円の外側に配置し位置をずらして設け、両軸間を動力伝達手段で連結する。【選択図】        図９
2005077797.tif 000002
【特許請求の範囲】
【請求項１】
原稿を照明する光源、原稿を搬送する搬送手段及び原稿を透過した光を受光する読取手段を有する写真画像読取装置であって、着脱可能なフィルムキャリアユニットに前記搬送手段が設けられるとともに、前記搬送手段の駆動源が写真画像読取装置側に設けられた写真画像読取装置において、
前記写真画像読取装置側の出力軸、
前記搬送手段の入力軸及び、
前記出力軸の回転を前記入力軸に伝達するものであって、前記出力軸と一体に回転するように前記出力軸で支持された出力回転部材を有する動力伝達手段を、
有し、
前記入力軸を前記出力回転部材の出力基準円の外側に設置したことを特徴とする写真画像読取装置。
【請求項２】
前記動力伝達手段は、タイミングベルトを有するとともに、前記搬送手段に入力プーリを設け、前記フィルムキャリアユニットの着脱により前記タイミングベルトと前記入力プーリとを係合・離脱させることを特徴とする請求項１に記載の写真画像読取装置。
【請求項３】
前記動力伝達手段は、前記タイミングベルトを変位させるアイドラープーリを有することを特徴とする請求項２に記載の写真画像読取装置。
【請求項４】
前記フィルムキャリアユニットを前記写真画像読取装置にロックする操作により、前記入力軸を前記出力軸に連結することを特徴とする請求項１〜３のいずれか１項に記載の写真画像読取装置。
【請求項５】
前記動力伝達手段は、写真画像読取装置側の出力回転部材及びフィルムキャリアユニット側の入力回転部材を有し、前記フィルムキャリアユニットの装着操作により、前記出力回転部材と前記入力回転部材とが連結することを特徴とする請求項１に記載の写真画像読取装置。
【請求項６】
前記動力伝達手段は、中間回転部材を有し、前記フィルムキャリアユニットの前記写真画像読取装置への装着操作により、前記中間回転部材が前記出力回転部材と前記入力回転部材とを連結することを特徴とする請求項５に記載の写真画像読取装置。
【請求項７】
前記出力回転部材はウォーム歯車からなり、前記入力回転部材ははすば歯車からなることを特徴とする請求項５に記載の写真画像読取装置。
【請求項８】
前記フィルムキャリアユニットの装着に連動して前記タイミングベルトを作動状態に設定するベルト変位手段を有することを特徴とする請求項２に記載の写真画像読取装置。
【請求項９】
原稿を照明する光源、原稿を搬送する搬送手段及び原稿を透過した光を受光する読取手段を有する写真画像読取装置であって、着脱可能なフィルムキャリアユニットに前記搬送手段が設けられるとともに、前記搬送手段の駆動源が写真画像読取装置側に設けられた写真画像読取装置において、
前記駆動源の出力軸、前記搬送手段の入力軸及び前記フィルムキャリアユニットの装着により、前記出力軸と前記入力軸とを固定する固定手段を有することを特徴とする写真画像読取装置。
【請求項１０】
原稿を照明する光源、原稿を搬送する搬送手段及び原稿を透過した光を受光する読取手段を有する写真画像読取装置であって、着脱可能なフィルムキャリアユニットに前記搬送手段が設けられるとともに、前記搬送手段の駆動源が写真画像読取装置側に設けられた写真画像読取装置において、
前記写真画像読取装置側の出力軸、前記搬送手段の入力軸及び及び前記出力軸と、前記入力軸とを連結する動力伝達手段を有し、該動力伝達手段は歯車からなることを特徴とする写真画像読取装置。
【請求項１１】
前記歯車は平歯車からなることを特徴とする請求項１０に記載の写真画像読取装置。
【請求項１２】
前記歯車は傘歯車からなることを特徴とする請求項１０に記載の写真画像読取装置。
【請求項１３】
前記歯車はウォーム歯車及び該ウォーム歯車に係合する歯車からなることを特徴とする請求項１０に記載の写真画像読取装置。
【請求項１４】
請求項１〜１３のいずれか１項に記載の写真画像読取装置及び感光材料処理装置を有することを特徴とする写真画像形成装置。
【発明の詳細な説明】
【技術分野】
【０００１】
本発明は、写真画像を読み取って画像データに変換する写真画像読取装置及び読取により取得された画像データに基づいて感光材料上に写真画像を形成する写真画像形成装置に関する。
【背景技術】
【０００２】
ネガフィルムやポジフィルム等の写真画像を読み取ってデジタル画像データに変換し、デジタル画像データに基づいて印画紙に露光を行って写真画像を形成する写真画像形成装置は、例えば、特許文献１に記載されているように知られている。
【０００３】
このような写真画像形成装置に関して、ネガフィルムやポジフィルム等の写真原稿を搬送する搬送手段をフィルムキャリアユニットとして着脱可能とするとともに、該フィルムキャリアユニットの動力源を画像形成装置側に設け、動力伝達手段を用いて、前記搬送手段を駆動して原稿搬送を行う写真画像形成装置が、本出願人の出願に係る特願２００２−３７２９０２号（以下先願という）により提案された。
【特許文献１】特開２００１−１６６３８５号公報
【発明の開示】
【発明が解決しようとする課題】
【０００４】
前記先願の写真画像形成装置では、読み取る写真原稿の種類（例えば、１３５サイズフィルムやＡＰＳフィルム）により異なるフィルムキャリアユニットが必要になるが、フィルムキャリアユニット側に駆動源がないために、フィルムキャリアユニットのコストが低減されることや、フィルムキャリアユニットが小型化されてフィルムキャリアユニットの保管や取り扱い上、省スペース化や使いやすさ等の面で有利である。
【０００５】
前記先願における動力伝達手段を図１により説明する。
【０００６】
Ａは画像形成装置側の出力軸であり、駆動源であるモータ（図示せず）により駆動され回転する。Ｂはフィルムキャリアユニット側の入力軸である。フィルムキャリアユニットは矢印Ｗで示す方向の移動により、画像形成装置に装着されるが、この装着操作によって、入力軸の端部に設けられた円盤Ｂ１上に形成された突起Ｂ２が、出力軸Ａの端部に設けられた円盤Ａ１に形成された切欠部Ａ２に係合する。この係合により、出力軸ＡのＲで示す回転運動が入力軸Ｂに伝達されて入力軸Ｂが回転する。
【０００７】
図１に示す動力伝達手段を用いた場合に、出力軸Ａの回転運動が正確に入力軸Ｂに伝達されないという問題があり、このような運動伝達の誤差が、生成される画像データに影響し、画質に影響を及ぼすことが判明した。
【０００８】
次に図２によりこのような運動伝達の誤差について説明する。
【０００９】
図１における切欠部Ａ２と突起Ｂ２の作用点の軌跡を円Ｃで示す。図から明らかなように、出力軸Ａと入力軸Ｂとにずれがあると、等角速度θ１で回転する軸Ａの運動は、θ１より大な角度θ２からθ１より小な角度θ３まで変化する角速度を持った回転運動に変換されて入力軸Ｂに伝達される。
【００１０】
写真画像の読取は、ラインＣＣＤによる線走査によって行われるが、このような入力軸Ｂの回転ムラにより、走査線の間隔にムラが出て画像データに影響を与えることになる。
【００１１】
人間の視覚により検知される写真画像上のムラは、０．６Ｈｚ〜１２０Ｈｚ程度の周波数を持ったものとされ、このようなムラを無くするためには、搬送速度の変動を２％以内に抑える必要がある。
【００１２】
このために前記先願の写真画像読取装置では、出力軸Ａに嵌合軸Ａ３を設けるとともに、嵌合軸Ａ３が嵌入する嵌合孔Ｂ３を入力軸Ｂに設けており、これにより前記搬送速度の変動を２％以内に抑えることができた。
【００１３】
しかしながら、図１に示すような動力伝達手段は、高い寸法精度が必要なために、コストが高くなることや、フィルムキャリアユニットの脱着操作の繰り返しにより、嵌合軸又は嵌合孔が摩耗することによる耐久性の低下を伴うこと等の問題がある。
【００１４】
本発明は、フィルムキャリアユニットの搬送手段を読取装置本体側の駆動源で駆動して写真画像を読み取る際に生ずる画像データへの影響を防止出来るとともに、低コストで、高い耐久性を持った写真画像読取装置及び写真画像形成装置を提供することを目的とする。
【課題を解決するための手段】
【００１５】
前記目的は、下記の発明により達成される。
【００１６】
１．原稿を照明する光源、原稿を搬送する搬送手段及び原稿を透過した光を受光する読取手段を有する写真画像読取装置であって、着脱可能なフィルムキャリアユニットに前記搬送手段が設けられるとともに、前記搬送手段の駆動源が写真画像読取装置側に設けられた写真画像読取装置において、
前記写真画像読取装置側の出力軸、
前記搬送手段の入力軸及び、
前記出力軸の回転を前記入力軸に伝達するものであって、前記出力軸と一体に回転するように前記出力軸で支持された出力回転部材を有する動力伝達手段を、
有し、
前記入力軸を前記出力回転部材の出力基準円の外側に設置したことを特徴とする写真画像読取装置。
【００１７】
２．前記動力伝達手段は、タイミングベルトを有するとともに、前記搬送手段に入力プーリを設け、前記フィルムキャリアユニットの着脱により前記タイミングベルトと前記入力プーリとを係合・離脱させることを特徴とする前記１に記載の写真画像読取装置。
【００１８】
３．前記動力伝達手段は、前記タイミングベルトを変位させるアイドラープーリを有することを特徴とする前記２に記載の写真画像読取装置。
【００１９】
４．前記フィルムキャリアユニットを前記写真画像読取装置にロックする操作により、前記入力軸を前記出力軸に連結することを特徴とする前記１〜３のいずれか１項に記載の写真画像読取装置。
【００２０】
５．前記動力伝達手段は、写真画像読取装置側の出力回転部材及びフィルムキャリアユニット側の入力回転部材を有し、前記フィルムキャリアユニットの装着操作により、前記出力回転部材と前記入力回転部材とが連結することを特徴とする前記１に記載の写真画像読取装置。
【００２１】
６．前記動力伝達手段は、中間回転部材を有し、前記フィルムキャリアユニットの前記写真画像読取装置への装着操作により、前記中間回転部材が前記出力回転部材と前記入力回転部材とを連結することを特徴とする前記５に記載の写真画像読取装置。
【００２２】
７．前記出力回転部材はウォーム歯車からなり、前記入力回転部材ははすば歯車からなることを特徴とする前記５に記載の写真画像読取装置。
【００２３】
８．前記フィルムキャリアユニットの装着に連動して前記タイミングベルトを作動状態に設定するベルト変位手段を有することを特徴とする前記２に記載の写真画像読取装置。
【００２４】
９．原稿を照明する光源、原稿を搬送する搬送手段及び原稿を透過した光を受光する読取手段を有する写真画像読取装置であって、着脱可能なフィルムキャリアユニットに前記搬送手段が設けられるとともに、前記搬送手段の駆動源が写真画像読取装置側に設けられた写真画像読取装置において、
前記駆動源の出力軸、前記搬送手段の入力軸及び前記フィルムキャリアユニットの装着により、前記出力軸と前記入力軸とを固定する固定手段を有することを特徴とする写真画像読取装置。
【００２５】
１０．原稿を照明する光源、原稿を搬送する搬送手段及び原稿を透過した光を受光する読取手段を有する写真画像読取装置であって、着脱可能なフィルムキャリアユニットに前記搬送手段が設けられるとともに、前記搬送手段の駆動源が写真画像読取装置側に設けられた写真画像読取装置において、
前記写真画像読取装置側の出力軸、前記搬送手段の入力軸及び及び前記出力軸と、前記入力軸とを連結する動力伝達手段を有し、該動力伝達手段は歯車からなることを特徴とする写真画像読取装置。
【００２６】
１１．前記歯車は平歯車からなることを特徴とする前記１０に記載の写真画像読取装置。
【００２７】
１２．前記歯車は傘歯車からなることを特徴とする前記１０に記載の写真画像読取装置。
【００２８】
１３．前記歯車はウォーム歯車及び該ウォーム歯車に係合する歯車からなることを特徴とする前記１０に記載の写真画像読取装置。
【００２９】
１４．前記１〜１３のいずれか１項に記載の写真画像読取装置及び感光材料処理装置を有することを特徴とする写真画像形成装置。
【発明の効果】
【００３０】
請求項１〜１４のいずれかの発明により、写真画像読取装置側の駆動源により着脱されるフィルムキャリアユニット内の搬送手段を駆動する場合に生ずる回転運動の伝達誤差が良好に抑制されて、走査線間の間隔のムラが解消され、高い画質の画像を形成することを可能にする画像データが得られる。
【００３１】
人間の視覚により検知される写真画像上のムラは、０．６Ｈｚ〜１２０Ｈｚ程度の周波数を持ったものとされ、このようなムラを無くするためには、搬送速度の変動を２％以内に抑える必要がある。
【００３２】
請求項１〜１４のいずれかの発明により、このような搬送速度の変動をなくすることが可能になる。
【００３３】
しかも、写真画像読取装置側の出力軸とフィルムキャリアユニット内の前記搬送手段の入力軸間の動力伝達手段に高精度の部品が要求されないので、低コストで高い耐久性を持った写真画像読取装置又は写真画像形成装置が実現される。
【発明を実施するための最良の形態】
【００３４】
図３は本発明の実施の形態に係る写真画像形成装置の例の全体を示す図である。
【００３５】
写真画像形成装置は写真画像読取装置１０と感光材料処理装置２０を備える。
【００３６】
ネガフィルム又はポジフィルムからなる写真原稿Ｆは搬送手段を有するフィルムキャリアユニット１２により搬送され、光源１１により照射される。写真原稿Ｆの透過光はレンズ１３により、ラインＣＣＤからなる撮像素子１４上に結像する。撮像素子１４の出力は、画像処理部１５で処理されてデジタル画像データに変換される。感光材料である印画紙Ｐはペーパーマガジン２１に収納されており、ペーパーマガジン２１から搬出され、カッタ２５により所定サイズに切断された印画紙Ｐに対して光源２２により画像データに基づいた露光を行い、現像処理部２３において現像処理する。露光及び現像処理により、画像が形成された印画紙Ｐはスタッカ２４に排出集積される。１６はモニターディスプレイを有する操作部である。
【００３７】
写真原稿Ｆを搬送する搬送手段を有するフィルムキャリアユニット１２は写真画像読取装置１０に対して着脱可能であり、たとえば、１３５サイズフィルム、ＡＰＳフィルム、ブローニーフィルム等の種類に応じて異なる構成となっており、使い分けられる。
【００３８】
フィルムキャリアユニット１２は写真原稿Ｆを搬送する搬送手段を有するが、該搬送手段を駆動する駆動源を有しておらず、写真画像読取装置１０内の駆動源により駆動される。
【００３９】
図４はフィルムキャリアユニット１２の駆動系を示す。図４に示すように、フィルムキャリアユニット１２の搬送手段３０はフィルムキャリアユニット１２側の動力伝達手段５０、写真画像読取装置１０側の動力伝達手段４０及び写真画像読取装置側の出力軸とフィルムキャリアユニット側の入力軸とを連結する動力伝達手段ＤＴＭを介して写真画像読取装置１０内に設けられた駆動源６０により駆動される。
【００４０】
図５は写真画像読取装置１０側の駆動系、すなわち、駆動源としてのステッピングモータ６０Ｍ及び動力伝達手段４０を示す。
【００４１】
ステッピングモータ６０Ｍは第１のブラケット４４ａに取り付けられ、ステッピングモータ６０Ｍの駆動軸６０ａの一方の端部には、回転ダンパ４２が、他方の端部には、第１のプーリ４３ａがそれぞれ固定される。タイミングベルト４５ａにより第１のプーリ４３ａと第２のプーリ４３ｂとが連結され、第２のプーリ４３ｂが固定された第１のシャフト４６ａには、第３のプーリ４３ｃが固定されるとともに、第４のプーリ４３ｄが支持される。第４のプーリ４３ｄは第１の電磁クラッチ４７ａにより第１のシャフト４６ａと係脱される。
【００４２】
第３のプーリ４３ｃと第５のプーリ４３ｅとはタイミングベルト４５ｂにより連結され、第５のプーリ４３ｅを支持する第２のシャフト４６ｂには、第６のプーリ４３ｆが固定される。第５のプーリ４３ｅと第２のシャフト４６ｂとは第２の電磁クラッチ４７ｂにより係脱される。第１のシャフト４６ａ及び出力軸である第２のシャフト４６ｂは第２のブラケット４４ｂにより支持される。
【００４３】
第１のプーリ４３ａの径と第２のプーリ４３ｂの径との比、第３のプーリ４３ｃの径と第５のプーリ４３ｅの径との比、第４のプーリ４３ｄの径と第６のプーリ４３ｆの径との比はそれぞれ１：６、１：４、１．５：１に設定される。
【００４４】
第１の電磁クラッチ４７ａをオンにして第４のプーリ４３ｄを第１のシャフト４６ａに固定するとともに、第２の電磁クラッチ４７ｂをオフにして第５のプーリを第２のシャフトに対してフリーとすることにより、ステッピングモータ６０Ｍの駆動力は、第１のプーリ４３ａ→第２のプーリ４３ｂ→第３のプーリ４３ｃ→第４のプーリ４３ｄ→第６のプーリ４３ｆ→第２のシャフト４６ｂのように伝達される。そして、第１の電磁クラッチ４７ａをオフにして、第４のプーリ４３ｄを第１のシャフト４６ａに対してフリーとするとともに、第２の電磁クラッチ４７ｂをオンにして第５のプーリ４３ｅを第２のシャフト４６ｂに固定することにより、ステッピングモータ６０Ｍの駆動力は、第１のプーリ４３ａ→第２のプーリ４３ｂ→第３のプーリ４３ｃ→第５のプーリ４３ｅ→第２のシャフト４６ｂのように伝達される。
【００４５】
このような駆動系の切替により、第２のシャフト４６ｂの回転速度の変換が行われる。
【００４６】
ステッピングモータ６０Ｍの回転速度の変換と前記の駆動系の切替との組み合わせにより、第２のシャフト４６ｂの回転速度を広い範囲で変更することが可能になり、写真原稿の搬送速度を広範囲にわたって変化させることが可能になる。これにより、読取解像度を広範囲に変えることが可能になる。
【００４７】
図６はフィルムキャリアユニット１２側の駆動系、すなわち、図４における搬送手段３０を構成する搬送ローラ６５及び動力伝達手段５０を示す。
【００４８】
入力プーリ５１は入力軸５２に固定され、搬送ローラ６５と一体なプーリ５４はタイミングベルト５５により入力プーリ５１に連結される。
【００４９】
入力プーリ５１には写真画像読取装置１０から駆動力が伝達され、プーリ５３からタイミングベルト５５を介してプーリ５４に動力伝達される結果、搬送ローラ６５が回転し、写真原稿を搬送する。
【００５０】
図７はフィルムキャリアユニット１２を示す。
【００５１】
フィルムキャリアユニット１２は下部マスク本体６１と下部マスク本体６１に対してヒンジ６２で開閉可能に支持された上部マスク本体３で構成される。下部マスク本体６１に設けられたフィルム搬送路６４には搬送手段３０としての搬送ローラ６５が設けられ、また、搬送路６４には、露光窓を形成する下部開口６６が形成される。上部マスク本体６３には、搬送ローラ６５に圧着する圧着ローラ６７及び下部開口６６に対応する上部開口６８が設けられる。
【００５２】
フィルムキャリアユニット１２は上部マスク本体６３を閉じた状態で使用され、搬送ローラ６５でフィルムを連続搬送しつつ、光源１で照射し、撮像素子４で走査して読取が行われる。
【００５３】
図８は、写真画像読取装置１０とフィルムキャリアユニット１２との間の動力伝達手段ＤＴＭの一例を示す。該動力伝達手段ＤＴＭは、写真画像読取装置１０側の出力軸であるシャフト４６ｂの回転をフィルムキャリアユニット１２の入力軸５２に伝達する。
【００５４】
シャフト４６ｂにはレバー７０が回転自在に支持され、レバー７０のシャフト４６ｂにより支持される端部と反対の端部には、支持板７４が平行移動可能に支持される。すなわち、レバー７０に設けたピン７０ａが支持板７４ａに設けた長穴７４ａによりガイドされており、支持板７４はレバー７０に対して平行移動可能である。レバー７０と支持板７４とは引っ張り型のバネ７６により連結されている。
【００５５】
写真画像読取装置１０には、軸７８を中心に回転可能なハンドル７９が設けられ、ハンドル７９とレバー７０とは、リンク８０により連結されており、ハンドル７９を矢印Ｗ１で示すように時計方向に回転させて実線から点線の位置に回転させる操作に応じて、リンク８０によりレバー７０が矢印Ｗ２で示す反時計方向に回転して点線で示す位置に移動する。
【００５６】
支持板７４には、タイミングベルト７３に係合する歯付のアイドラープーリ７５が回転自在に支持されており、シャフト４６ｂに固定された出力回転部材としての歯付の出力プーリ７１とアイドラープーリ７５とはタイミングベルト７３で連結されている。
【００５７】
写真画像読取装置１０にフィルムキャリアユニット１２を取り付けると、タイミングベルト７３に係合する入力回転部材としての歯付の入力プーリ５１がタイミングベルト７３の内側に入る。
【００５８】
フィルムキャリアユニット１２に写真画像読取装置本体１０に装着すると、写真画像読取装置１０の出力軸とフィルムキャリアユニット１２の入力軸とが連結されるが、この連結は次のようにして行われる。
【００５９】
フィルムキャリアユニット１２を写真画像読取装置１０に取り付けると、フィルムキャリアユニット１２の入力プーリ５１が、平行して対向するタイミングベルト７３の内側に入ることは前記のとおりであるが、フィルムキャリアユニット５１を所定位置に設定した後に、ハンドル７９を矢印Ｗ１のように回転させると、この回転操作によりフィルムキャリアユニット１２はロックされる。このロック動作とともに、リンク８０を介してレバー７０が矢印Ｗ２のように回転して、アイドラプーリ７５を移動させる。アイドラプーリ７５の移動により、タイミングベルト７３が移動して、点線で示すように、フィルムキャリアユニット１２の入力プーリ５１に噛み合う。
【００６０】
このようにして、フィルムキャリアユニット１２の装着により、フィルムキャリアユニット１２の入力軸が写真画像読取装置１０の出力軸に連結されるが、このような駆動系の形成動作を図９（ａ）、（ｂ）に模式的に示す。図９（ａ）のように、フィルムキャリアユニット１２を写真画像読取装置１０に取り付けた状態では、フィルムキャリアユニット１２の入力プーリ５１は写真画像読取装置１０側のタイミングベルト７３と離れた状態にあり、入力プーリ５１と出力プーリ７１とは連結しないが、図９（ｂ）のように、アイドラープーリ７５の移動によって入力プーリ５１はタイミングベルト７３に噛み合い、出力プーリ７１に連結する。
【００６１】
図８及び図９（ａ）に示した出力プーリ７１から入力プーリ５１への動力伝達手段ＤＴＭを例として、図１０により本発明における動力伝達手段ＤＴＭを説明する。
【００６２】
図１０に示すように、フィルムキャリアユニットの搬送手段の入力軸である入力プーリ５１の軸５１Ａは、写真画像読取装置側の出力軸に固定された出力回転部材としての出力プーリ７１の出力基準円としてのピッチ円Ｐ１の外側に配置される。
【００６３】
なお、前記出力基準円は、出力プーリ７１のピッチ円であり、後に説明する歯車からなる動力伝達手段においては、出力軸に固定された出力回転部材としての歯車のピッチ円であり、摩擦ローラからなる動力伝達手段においては、出力軸に固定された回転部材としての摩擦ローラの外周円である。
【００６４】
フィルムキャリアユニット１２の搬送手段の入力軸を前記したように写真画像読取装置１０側の出力軸に固定した出力回転部材の出力基準円の外側に配置した入力軸５１Ａの位置が、点線で示す入力軸５１Ｂのようにずれた場合にも出力プーリ７１の回転運動が正確に入力プーリ５１に伝達され、入力プーリ５１の回転ムラが生ずることはない。
【００６５】
図１１は、写真画像読取装置１０とフィルムキャリアユニット１２との間の動力伝達手段ＤＴＭの他の例を示す。
【００６６】
図８の例と同様に、フィルムキャリアユニット１２を写真画像読取装置１０に取り付けることにより、フィルムキャリアユニット１２側の入力プーリ５１は写真画像読取装置１０側の出力プーリ７１に連結されたタイミングベルト７３の内側に入る。
【００６７】
本例においては、フィルムキャリアユニット１２をロックするためのハンドル７９の操作により、リンク８０を平行移動させ、リンク８０の移動により、タイミングベルト７３を入力プーリ５１に係合させている。
【００６８】
すなわち、一対の長穴８０Ａにより案内されて平行移動するリンク８０はハンドル７９のピン７９Ａとリンク８０の長穴８０Ａとの係合によりハンドル７９に連動し、ハンドル７９のＷ３で示す反時計方向の回転により、Ｗ４で示す左方向に平行移動する。なお、本例では、出力プーリ７１及びアイドラープーリ７５を支持するレバー７０は写真画像読取装置１０に固定されている。
【００６９】
リンク８０には、タイミングベルト７３を挟んで対向するローラ８２、８３が回転自在に支持されており、リンク８０が、その非作動位置である、実線で示す右端位置にあるときは、ローラ８３がタイミングベルト７３を入力プーリ５１から離すように作用し、タイミングベルト７３が入力プーリ５１から離れた位置に設定されるが、リンク８０が作動位置である点線で示す左端位置に移動したときには、ローラ８２がタイミングベルト７３を入力プーリ５１に押しつける結果、タイミングベルト７３が入力プーリ５１に噛み合う。アイドラープーリ７５は引っ張り型のバネ７６により下方に付勢された支持板７４により支持されており、入力プーリ５１がタイミングベルト７３に係合した状態で所定の張力をタイミングベルト７３に付与する。
【００７０】
なお、ローラ８４はタイミングベルト７３が出力プーリ７１からはずれるのを抑制する抑えローラである。
【００７１】
図１１の例を図９（ｃ）、（ｄ）に模式的に示す。フィルムキャリアユニット１２を写真画像読取装置１０に取り付けた状態では、図９（ｃ）のように、入力プーリ５１がタイミングベルト７３から離れているが、ハンドル７９の操作でフィルムキャリアユニット１２をロックし、写真画像読取装置１０に装着したときには、タイミングベルト７３がローラ８２により押されて変位し、入力プーリ５１がタイミングベルト７３に噛み合って出力プーリ７１に連結する。
【００７２】
図９（ｅ）、（ｆ）は写真画像読取装置１０とフィルムキャリアユニット１２間の動力伝達手段ＤＴＭの更に他の例を示す。
【００７３】
本例では、写真画像読取装置１０の出力プーリ７１、アイドラープーリ７５及びテンションプーリ９０がタイミングベルト７３で連結されたベルトユニットに形成されており、該ベルトユニットが図９（ｅ）の状態から図９（ｆ）の状態に旋回可能に構成されている。フィルムキャリアユニット１２を写真画像読取装置１０に取り付けた状態では、前記ベルトユニットが図９（ｅ）の状態にあって、入力プーリ５１はタイミングベルト７３から離れている。フィルムキャリアユニット１２を写真画像読取装置１０にロックし装着する操作によって、前記ベルトユニットが図９（ｆ）のように旋回し、タイミングベルト７３が入力プーリ５１に接触するので、入力プーリ５１は出力プーリ７１に連結する。
【００７４】
図９（ｇ）、（ｈ）は写真画像読取装置１０とフィルムキャリアユニット１２間の動力伝達手段の更に他の例を示す。この例では、出力プーリ７１とアイドラープーリ７５を連結するタイミングベルト７３の内側に入力プーリ５１が挿入され、フィルムキャリアユニット１２を写真画像読取装置１０にロックし装着する操作により、入力プーリ５１を変位させて、入力プーリ５１をタイミングベルト７３に噛み合わせて、入力プーリ５１を出力プーリ７１に連結する。バネ７６は入力プーリ５１がタイミングベルト７３に噛み合ったときにタイミングベルト７３に所定の張力を付与する。
【００７５】
図９には、写真画像読取装置１０の出力軸（シャフト４６ｂ）とフィルムキャリアユニット１２の入力軸５２の位置をずらして設け、両軸間を連結する動力伝達手段ＤＴＭの種々変形例を示した。これらの例では、フィルムキャリアユニット１２をフィルムキャリアユニット１２の取り付け、更にロックするという２段階の操作により、フィルムキャリアユニット１２の装着を行い、ロック操作により、フィルムキャリアユニット１２の入力軸５１を写真画像読取装置１０の出力軸に連結する機構となっているが、ワンアクション操作でフィルムキャリアユニット１２を写真画像読取装置１０に装着でき、該ワンアクション操作で、フィルムキャリアユニット１２の入力軸を写真画像読取装置１０の出力軸に連結するようにすることも可能である。
【００７６】
図１２は、フィルムキャリアユニット１２を写真画像読取装置１０間の動力伝達手段ＤＴＭの更に他の種々変形例を示す。
【００７７】
図１２（ａ）の例は、写真画像読取装置１０の出力軸１００に固定された出力歯車１０１に対して、フィルムキャリアユニット１２の入力軸１０２に固定された入力歯車１０３を係合する動力伝達手段である。フィルムキャリアユニット１２の装着により、入力歯車１０３は出力歯車１０１に対して、矢印Ｗ５のように移動し、装着後の出力軸１００の矢印Ｗ６で示す回転により、入力歯車１０３はバネ１０４により付勢されて、矢印Ｗ５のように軸方向に移動して、出力歯車１０１に係合する。
【００７８】
図１２（ａ）は、平歯車からなる動力伝達手段ＤＴＭの例であるが、この例でも、入力軸１０２は、出力軸１００側の歯車１０１の出力基準円の外側に配置され、歯車による回転運動の伝達であるので、入力軸１０２の回転ムラを防止することができる。
【００７９】
図１２（ｂ）（ｃ）の例では、写真画像読取装置１０の出力軸１００に、入力軸１０２を出力軸１００に固定する固定手段としてテーパー状の外周を持ったチャック部１０７が形成され、チャック部１０７は、チャックスリーブ１０８に対して矢印Ｗ７で示す軸方向に移動可能で且つ出力軸１００の回転を伝達するように出力軸１００上に支持される。一方、フィルムキャリアユニット１２には、入力軸１０２及びプッシャ１０６が設けられる。
【００８０】
図１２（ｂ）の状態からフィルムキャリアユニット１２を矢印Ｗ７で示す方向に移動さて図１２（ｃ）の状態とする装着操作により、入力軸１０２がチャック部１０７内に挿入されるとともに、プッシャ１０６がチャック部１０７を矢印Ｗ７方向に移動させる。その結果、チャック部１０７はチャックスリーブ１０８により締め付けられて、入力軸１０２を出力軸１００に固定し、両軸を互いに固定する。
【００８１】
チャック部１０７は圧縮型のバネ１０９により矢印Ｗ７と反対の方向に付勢されており、フィルムキャリアユニット１２の取り外し操作により、チャック部１０７をチャックスリーブ１０８から脱出させて、図１２（ｂ）の状態に復帰させる。
【００８２】
図１２（ｂ）（ｃ）の例では、入力軸１０２が出力軸１００に固定手段により固定されて回転するので、入力軸１０２の回転ムラを防止することができる。
【００８３】
図１２（ｄ）の例では、写真画像読取装置１０の出力軸１００に固定された回転部材としての出力歯車１０１とフィルムキャリアユニット１２の入力軸１０２に固定された回転部材としての入力歯車１０３とが中間歯車１１０により係合・離脱される。
【００８４】
フィルムキャリアユニット１２を写真画像読取装置１０に取り付けた状態では、中間歯車１１０は、図１２（ｄ）に示すように出力歯車１０１及び入力歯車１０３から離れているが、フィルムキャリアユニット１２を写真画像読取装置１０にロックする操作により、中間歯車１１０が、矢印Ｗ８で示す方向に移動して出力歯車１０１及び入力歯車１０３に噛み合い、入力歯車１０３を出力歯車１０１に連結する。ロックの解除により、中間歯車１１０が図１２（ｄ）の状態に復帰して、入力歯車１０３と出力歯車１０１との連結は断たれる。
【００８５】
この例でも、入力軸１０２は、出力軸１００側の歯車１０１の出力基準円の外側に配置され、歯車による回転運動の伝達であるので、入力軸１０２の回転ムラを防止することができる。
【００８６】
図１２（ｅ）の例は、入力回転部材としての入力歯車１０３を変位させることにより、出力回転部材としての出力歯車１０１と入力歯車１０３との係合・離脱を行うものである。
【００８７】
フィルムキャリアユニット１２を写真画像読取装置１０に取り付けた状態では、入力歯車１０３は図１２（ｅ）のように出力歯車１０１と噛み合い状態にないが、フィルムキャリアユニット１２をロックする操作により、入力歯車１０３が矢印Ｗ９で示すように変位して出力歯車１０３に噛み合い、入力軸１０２が出力軸１００に連結される。
【００８８】
この例でも、入力軸１０２は、出力軸１００側の歯車１０１の出力基準円の外側に配置され、歯車による回転運動の伝達であるので、入力軸１０２の回転ムラを防止することができる。
【００８９】
なお、図１２（ｄ）、（ｅ）に示した例では、回転部材として歯車に代えて摩擦ローラを用いることも可能である。
【００９０】
図１２（ｆ）は、出力歯車１０１及び入力歯車１０３を傘歯車で構成したものである。
【００９１】
フィルムキャリアユニット１２の装着操作により、入力歯車１０３は矢印Ｗ１０で示すように移動して出力歯車１０３に噛み合い、入力軸１０２が出力軸１００に連結する。
【００９２】
図１２（ｇ）は、出力歯車１０１をウォーム歯車で構成するとともに、入力歯車１０３を出力歯車１０１に係合・離脱する入力歯車をはすば歯車で構成したものである。
【００９３】
フィルムキャリアユニット１２の装着操作により、入力歯車１０３が図１１（ｇ）の状態から矢印Ｗ１１で示すように移動して出力歯車１０１に噛み合い、入力軸１０２が出力軸１００に連結する。
【００９４】
この例でも、入力軸１０２は、出力軸１００側の歯車１０１の出力基準円の外側に配置され、歯車による回転運動の伝達であるので、入力軸１０２の回転ムラを防止することができる。
【００９５】
図１２（ａ）、（ｄ）、（ｅ）、（ｆ）及び（ｇ）に示した例は、歯車からなる動力伝達手段ＤＴＭの例であるが、歯車は、出力軸と入力軸間に多少の位置ずれがあっても、正確に回転運動を伝達する動力伝達手段であるので、入力軸１０２の回転ムラを防止することができる。
【図面の簡単な説明】
【００９６】
【図１】先願における動力伝達手段を示す図である。
【図２】運動伝達の誤差を示す図である。
【図３】本発明の実施の形態に係る写真画像形成装置の例の全体を示す図である。
【図４】フィルムキャリアユニットの駆動系を示す図である。
【図５】写真画像読取装置側の駆動系を示す図である。
【図６】フィルムキャリアユニット側の駆動系を示す図である。
【図７】フィルムキャリアユニットを示す図である。
【図８】写真画像読取装置とフィルムキャリアユニットとの間の動力伝達手段の一例を示す図である。
【図９】写真画像読取装置とフィルムキャリアユニットとの間の動力伝達手段の例を模式的に示す図である。
【図１０】動力伝達手段の一例を示す図である。
【図１１】写真画像読取装置とフィルムキャリアユニットとの間の動力伝達手段の他の例を示す図である。
【図１２】写真画像読取装置とフィルムキャリアユニットとの間の動力伝達手段の更に他の種々変形例を示す図である。
【符号の説明】
【００９７】
１０  写真画像読取装置
１２  フィルムキャリアユニット
２０  感光材料処理装置
３０  搬送手段
４０、５０  動力伝達手段
４５ａ、４５ｂ、４５ｃ、５４、７３  タイミングベルト
５１  入力プーリ
５２、１０２  入力軸
７１  出力プーリ
１００  出力軸
１０１  出力歯車
１０３  入力歯車
【図１】
2005077797.tif 000003
【図２】
2005077797.tif 000004
【図３】
2005077797.tif 000005
【図４】
2005077797.tif 000006
【図５】
2005077797.tif 000007
【図６】
2005077797.tif 000008
【図７】
2005077797.tif 000009
【図８】
2005077797.tif 000010
【図９】
2005077797.tif 000011
【図１０】
2005077797.tif 000012
【図１１】
2005077797.tif 000013
【図１２】
2005077797.tif 000014